(57)【要約】【課題】本発明は髪の毛を自動で編む装置に関する。【解決手段】ギアボックス３上部に略８字状のカムトラック５，６が形成されて，カムトラック５，６はモータ１により相互反対方向に回転する１対の回転子３０，４０に乗せて移動する３個のキャリア５０，６０，７０が８字形態の軌道運動をするように案内する。各髪の毛固定部材１００に適当な本数の髪の毛を挟まれて固定させて，この各髪の毛固定部材１００をキャリア５０，６０，７０の上端に結合した状態でハウジング２のスイッチｌｂをつけるとモータ１が回転して１対の回転子３０，４０を相互反対方向に回転させる。キャリア５０，６０，７０が回転子３０，４０の回転運動により８字形カムトラック５，６を沿って軌道運動をしながら３個の髪の毛固定部材に挟んでつかまれた髪の毛束を相互組んで編む。【選択図】図３
2004511261.tif 000002
【特許請求の範囲】
【請求項１】
内部にモータを内蔵して，側壁に前記モータに供給される電源を印加または遮断するスイッチを備えたハウジングと，
前記ハウジングの上端に結合され，同一の半径を有した２個の円形開放部が一部交差する形状の開放部を形成したガイドプレートが上端に結合されるギアボックスと，
前記各円形開放部の中心上に固定された二本の軸の上端に固定されて，取り囲んでいる各円形開放部の内側壁と一緒に一定の幅と軌道半径を有した環形カムトラックを形成する外側面を備えた１対の円形カムと，
前記各軸上に設けられて前記モータの回転力により相互反対方向に同一の回転速度で回転する１対の回転子と，
前記カムトラックに案内されて移動するように設けられる方向舵を備えて，前記回転子の回転により前記カムトラックを沿って略‘８’字形態で軌道運動し，前記方向舵の中心から離隔されて形成された垂直貫通ホールにその軸が挿入連結された複数のキャリアと，
を含んで構成される，髪の毛を編む装置。
【請求項２】
前記方向舵は前記環形カムトラックの外側壁の曲率半径より大きい曲率半径を有した２個の流線型側壁を備え，前記２個のカムトラックが交差する部分の他のカムトラックの対角線外側壁間の長さよりさらに長い長さを有したことを特徴とする，請求項１に記載の髪の毛を編む装置。
【請求項３】
前記貫通ホールは前記方向舵の中心から進行方向に見て貫通ホールの半径より大きく中心から離隔形成されていることを特徴とする，請求項１に記載の髪の毛を編む装置。
【請求項４】
前記貫通ホールを有した各方向舵が，長手方向の両終端から前記貫通ホールまでの距離が遠い部分が回転方向の後端に位置するように，前記方向舵を備えた各キャリアを前記環形トラック上に設けることを特徴とする，請求項１に記載の髪の毛を編む装置。
【請求項５】
前記方向舵の厚みは，前記カムトラックの外側トラックを形成する前記ガイドプレートの内側壁の厚みよりわずかに厚いことを特徴とする，請求項１に記載の髪の毛を編む装置。
【請求項６】
前記一対の円形カムは円形カムの中心線上で相互向かい合うように配置された突起を外周面に各々形成したことを特徴とする，請求項１に記載の髪の毛を編む装置。
【請求項７】
前記円形カムの突起の傾斜は，前記円形開放部の二つの円の交差点をつなぐ仮想の垂直線に対しておよそ２３°の交差角を有するように形成されたことを特徴とする，請求項６に記載の髪の毛を編む装置。
【請求項８】
前記回転子は前記各軸上に回転可能に設けられて，相互反対方向に回転するように歯が噛み合っており，片側は前記モータの駆動ギアに噛み合った１対の被動ギアと，前記被動ギアの上部に前記被動ギアと同心円形態に形成されて，外側円周面に前記キャリアを選択的に受容する複数個の案内溝が等間隔で備わったフィンガを含んで構成されたことを特徴とする，請求項１に記載の髪の毛を編む装置。
【請求項９】
前記各回転子は，前記フィンガの外側円周面に形成された任意の案内溝が回転子の回転時に他側フィンガ上の案内溝と，前記環形トラック交差部分の中心で相互対向しながら会うように前記各軸上に設けられることを特徴とする，請求項８に記載の髪の毛を編む装置。
【請求項１０】
前記案内溝は前記フィンガの外側円周面に１２０°間隔で３個が形成されたことを特徴とする，請求項８に記載の髪の毛を編む装置。
【請求項１１】
前記キャリアはその軸の下端にカムローラを備えて，前記カムローラは前記フィンガの案内溝に乗せて前記フィンガの回転方向によって移動することを特徴とする，請求項８に記載の髪の毛を編む装置。
【請求項１２】
前記複数のキャリアは３個で構成されたことを特徴とする，請求項１に記載の髪の毛を編む装置。
【請求項１３】
前記キャリアは，髪の毛を束として取る固定部材を固定するホルダーを上部に備えて，このホルダーは磁性体を備えて前記固定部材を磁力で付着固定することを特徴とする，請求項１に記載の髪の毛を編む装置。
【請求項１４】
前記ホルダーはその上面が陥没形態で構成されて，その陥没された空間に前記固定部材の金属突出部が引き込まれながら磁力により付着固定されることを特徴とする，請求項１３に記載の髪の毛を編む装置。
【請求項１５】
前記ホルダーは前記ガイドプレートの上面上側に露出されるように前記キャリアの軸上端に結合されたことを特徴とする，請求項１３に記載の髪の毛を編む装置。
【請求項１６】
編もうとする多数本の髪の毛を受容する複数本の貫通されたチューブで構成され，各チューブはスライド式で最下部チューブに挿入できる直径を有して，前記最下部チューブの下端には中心に貫通ホールがある金属片が密閉され，最上部チューブの上端には前記各チューブの中に収容された多数の髪の毛を挟んでつかむ弾性体のノズルを備えたキャップが付着されて，前記最上部チューブを除いた各チューブは上端入口の直径が該チューブの内径より所定間隔以上小さく形成されたことを特徴とする，髪の毛を編む補助装置。
【請求項１７】
前記最上部チューブはたわみ性を有するように軟性の合成樹脂材質で形成されて，前記最上部チューブを除いた各チューブは硬い材質のプラスチックで形成されたことを特徴とする，請求項１６に記載の髪の毛を編む補助装置。
【請求項１８】
前記最下部チューブの入口直径と内径との差が他のチューブの入口直径と内径との差より大きいことを特徴とする，請求項１６に記載の髪の毛を編む補助装置。
【請求項１９】
前記キャップは前記最上部チューブの入口をかぶせる形態で挿入されて結合され，編もうとする髪の毛束の太さによって，備わった相異なる直径のノズルを有するキャップに取り替え可能であることを特徴とする，請求項１６に記載の髪の毛を編む補助装置。
【請求項２０】
前記金属片は前記貫通ホールを取り囲む突出した環段差を形成していることを特徴とする，請求項１６に記載の髪の毛を編む補助装置。
【請求項２１】
編もうとする多数の髪の毛を引っ掛けて取るフックと，前記フックの下端を軸にして回転しながら前記フックの輪が開放された部分を回転により閉じたり開ける回転ピンを上端に備えている細くて長い形態の針部材をさらに含んで構成されることを特徴とする，請求項１６に記載の髪の毛を編む補助装置。
【発明の詳細な説明】
【０００１】
【発明の属する技術分野】
本発明は髪の毛を組んで編む装置に関するものであり，特に携帯可能であって３束の髪の毛を機械的に順に打ち違えに組んで編む装置に関するものである。
【０００２】
【従来の技術】
長い髪の毛を何束ずつ編む時には本人以外の人の助けを受けていちいち手作業で髪の毛を編んでいた。この髪の毛を編む作業には多くの時間が所要されて，他の人の助けを受けるので相当な費用がかかるようになる。のみならず完成されたヘアスタイルの品質は作業者の熟練度によって不均一になる。
【０００３】
これにより，電動機を利用して髪の毛を自動で均一に編む装置が‘Ｅｒｏｎｉｎｉ’により開発されており，米国特許第４４２７０１７号で登録された。
【０００４】
‘Ｅｒｏｎｉｎｉ’による発明は，髪の毛を編むための基本運動である‘８’字軌道運動を具現するためにキャリアが‘８’字の軌跡を描くようになる。そして，‘８’字の軌道方向を取るための方向舵は側面中心に貫通ホールを有しており，この側面貫通ホールが，相互反対方向の回転運動をする一対の回転子の突起に連結されながら交差区間で他の円形軌道に転換するようになる。
【０００５】
‘Ｅｒｏｎｉｎｉ’の発明は，交差区間で方向舵が他の円形軌道に転換されるためには，交差区間に進入しながら他の円形軌道の突起が徐々に方向舵の貫通ホールに挿入されるべきで，両側突起がすべて貫通ホールに挿入されている状態で，一方の突起は貫通ホールから離脱されるべきで，他の突起は方向舵を取ったままで続けて回転すべきである。
【０００６】
【発明が解決しようとする課題】
しかし，‘Ｅｒｏｎｉｎｉ’の発明は，交差区間で回転子の突起が方向舵の貫通ホールに挿入及び離脱する機械的衝撃により交差区間における運動が滑らかでなくて，回転子の突起が挿入及び離脱を自由にするために方向舵の貫通ホールの直径を大きくしても，突起と貫通ホール間の広い透き間により方向舵が円形軌道または交差区間上でやはり滑らかに回転できなくなる。
【０００７】
本発明は人が手作業で髪の毛を編む不便さと短所を解決するために創作されたことであり，略‘８’字の軌跡運動を滑らかに描きながら髪の毛を編むようになる装置を提供することに目的がある。
【０００８】
【課題を解決するための手段】
前記目的を達成するために本発明は，内部にモータを内蔵して，側壁に前記モータに供給される電源を印加または遮断するスイッチを備えたハウジングと，前記ハウジングの上端に結合されて，同一の半径を有した２個の円形開放部が相互交差して略‘８’字状の開放部を形成したガイドプレートが上端に結合されるギアボックスと，前記各円形開放部の中心上に固定された軸の上端に固定されて取り囲んでいる各円形開放部の内側壁と一緒に一定な幅と軌道半径を有した環形カムトラックを形成する外側面を備えた１対の円形カムと，前記各軸上に設けられて前記モータにより相互反対方向に同一の回転速度で回転する１対の回転子及び前記カムトラックに案内されて移動するように設けられて，前記回転子の回転運動により前記カムトラックを沿って‘８’字形態で軌道運動をする多数個のキャリア及び前記各キャリアの上端に着脱可能に結合されてこれら各キャリアと一緒に移動し，各々は複数本の髪の毛を１束に挟んでつかんで固定するようになった髪の毛固定部材を含んだ構成になっている。
【０００９】
本発明は前記各髪の毛固定部材に適当な本数の髪の毛を挟まれて固定させて，この各髪の毛固定部材をキャリアの上端に結合した状態でハウジングのスイッチをつけるとモータが回転して１対の回転子を相互反対方向に回転させる。これによりキャリアが回転子の回転運動によりギアボックス上面に備わった‘８’字形カムトラックを沿って軌道運動をしながら多数本の髪の毛固定部材に挟んでつかまれた髪の毛束を相互組んで編む。
【００１０】
本発明による髪の毛を編む装置は，髪の毛を機械的に編むことができて髪の毛を編む時間を減らし，非熟練工でも一定な様子に均一に髪の毛を編むことができるだけでなく，機械的に具現するのが困難な軌道交差運動を機械的無理なしに滑らかに具現することによって，低騒音と低電力使用が可能な長所がある。
【００１１】
特に本発明は携帯可能であって必要な時と場所で誰の助けなくても簡便に自身の髪の毛の全部または一部を編むことができる。
【００１２】
【発明の実施の形態】
以下，本発明による髪の毛を編む装置の一実施例を添付図面によって詳細に説明する。
【００１３】
本発明の構成は，大別して多数の髪の毛を一束に整えて取って固定する図１（Ａ）のような３個の髪の毛固定部材１００と，これら３個の髪の毛固定部材１００を結合して定まった軌跡を沿って同時に移動させる図２の駆動部２００とで構成される。
【００１４】
図２に図示されたように，前記駆動部２００はモータ１と電池１ａとを内蔵したハウジング２を含んで，前記ハウジング２の側壁には前記モータ１に供給される電源をオン／オフさせるスイッチ１ｂが備わっている。前記ハウジング２の上端にはギアボックス３が結合される。
【００１５】
前記ギアボックス３の上端には，図３に図示されたように，同一の直径の２個の円形開放部Ｃ１，Ｃ２が交差して略‘８’字状の開放部を形成したガイドプレート４がボルトで結合される。
【００１６】
前記円形開放部Ｃ１，Ｃ２の中心方向に軸１１，２１が配置されて前記ギアボックス３の底面に固定設置される。前記各軸１１，２１の上端には円形カム１２，２２が前記円形開放部Ｃ１，Ｃ２に対して同心で固定されてその外側面が前記円形開放部Ｃ１，Ｃ２の内側壁，すなわち前記ガイドプレート４の内側曲面と一緒に一定な水平幅を有する環形カムトラック５，６を形成する。
【００１７】
図４に図示されたように，前記各カム１２，２２は仮想の垂直線Ｈに対しておよそ２３゜の交差角αをなす傾斜角を有する突起１２ａ，２２ａを備えて，これら突起１２ａ，２２ａはカム１２，２２の中心を連結した仮想の中心線Ｏ上で相互向かい合う位置に形成される。また，突起１２ａ，２２ａの突出程度は前記カム１２，２２の直径と１６：１の比率になる寸法を有するように形成される。
【００１８】
図２に図示されたように，前記各軸１１，２１上には前記モータ１の回転力により相互反対方向に回転しながら後述するキャリアを軌道運動させる回転子３０，４０が具備される。前記回転子３０，４０は図５に図示されたように前記各軸１１，２１上に回転可能に設けられて相互反対方向に回転するように相互噛み合っている１対の被動ギア３１，４１と，前記被動ギア３１，４１の上部に同心円で一体に形成されて，円周上に等間隔で配置された３個の案内溝３２ａ，４２ａを各々備えたフィンガ３２，４２で構成される。
【００１９】
前記２個の被動ギア３１，４１は，同一のギアでなって相互噛み合っている。これら被動ギア３１，４１中片側被動ギア３１は，モータ１の軸と一定減速ギア比で相互連結設けられた駆動ギア７と噛み合っていて前記駆動ギア７がモータ１により速度減速されて低速で回転すると前記被動ギア３１，４１は相互反対方向に同一の速度で回転するようになる。
【００２０】
前記回転子３０，４０は，前記フィンガ３２，４２が相互反対方向に回転する時一方フィンガ３２，４２に形成された各案内溝３２ａは他のフィンガ３２，４２の案内溝４２ａと最近接位置で相互会うように前記円形開放部Ｃ１，Ｃ２に設けられて，案内溝４２ａは半円型になって二つの案内溝３２ａが会って略円形になる構造を有する。
【００２１】
図２及び図３に図示されたように，本発明による髪の毛を編む装置は２個のフィンガ３２，４２の各案内溝３２ａ，４２ａに選択的に乗せて前記ガイドプレート４のカムトラック５，６を沿って軌道運動をする３個のキャリア５０，６０，７０が設けられる。
【００２２】
図２及び図６に図示されたように，前記各キャリア５０，６０，７０はキャリア軸５１，６１，７１下端に一体で固定されて上面が前記ガイドプレート４の底面に当接した状態で終端の円周面が前記フィンガ３２，４２の各案内溝３２ａ，４２ａに乗せてフィンガ３２，４２の回転方向を沿って移動するカムローラ５２，６２，７２と，前記カムローラ５２，６２，７２の上側でキャリア軸５１，６１，７１に挿入され，進行方向に偏って形成された貫通ホール５３ａ，６３ａ，７３ａに前記キャリア軸５１，６１，７１が挿入されてその外側面が前記カムトラック５，６の外側壁に接触した状態でカムトラック５，６を沿って移動する図７の方向舵５３，６３，７３と，前記方向舵５３，６３，７３を貫通したキャリア軸５１，６１，７１の上端に結合されてカムローラ５２，６２，７２と一緒に軌道運動をし，上部には前記キャリア軸５１，６１，７１とねじ結合され，前記髪の毛固定部材１００を着脱式で固定するために内側に陥没されて形成された付着面を有するホルダー５４，６４，７４で構成される。
【００２３】
前記方向舵５３，６３，７３の貫通ホール５３ａ，６３ａ，７３ａは，方向舵の中心で貫通ホール５３ａ，６３ａ，７３ａの半径よりさらに遠く離隔されて形成され，前記方向舵５３，６３，７３は図７に図示されたように，略楕円形の断面形状を有し前記環形カムトラック５，６の外側壁の曲率半径とほとんど同じ曲率半径を有した２個の流線型側壁を備え，前記カムトラック５，６にすべり案内されるように中央幅が前記カムトラック５，６の幅よりわずかに小さくて，前記２個のカムトラック５，６が交差する部分の二トラック間の対角線外側壁間の長さよりさらに長い長さを有する。すなわち，前記方向舵５３，６３，７３は前記ガイドプレート４の左側カムトラック５から右側カムトラック６に位置転換する時両側カムトラック５，６に掛かるほどの長さを有する。
【００２４】
そして前記方向舵５３，６３，７３は，前述したように，進行方向に対して前端部が後端部に比べて相対的に短く形成された貫通ホール５３ａ，６３ａ，７３ａによりキャリア軸５１，６１，７１に結合され，このように方向舵５３，６３，７３の中心から進行方向に偏ってキャリア軸５１，６１，７１が結合される理由は，前記円形開放部Ｃ１，Ｃ２上でカムトラックの片側から他の方に転換する過程で各キャリア５０，６０，７０が，円形交差した前記円形開放部Ｃ１，Ｃ２の正中央で他のカムトラックに転換し始める時に，方向舵５３，６３，７３の流線型の後端部が以前カムトラックとカム突起１２ａまたは２２ａの傾斜により支持されることによって，キャリア５０，６０，７０が他のカムトラックを対角線方向に進入するように方向を取って，キャリア５０，６０，７０が他のフィンガ３２または４２の案内溝３２ａまたは４２ａにより十分に他のカムトラックの回転経路上に進入した時トラック交差点における対角線方向の直進力を解除することによって，各キャリア５０，６０，７０が略８字運動をすることにおいてカムトラックを転換する時に，機械的に力の空白状態でかからないようにして滑らかにカムトラック間を移動できるようにするためである。
【００２５】
そして，前記流線型の方向舵５３，６３，７３の厚みｔは，図２の環形カムトラック５，６の外側トラックを形成する，円形開放部Ｃ１，Ｃ２の内側に取り囲みながら突出した環段差の厚みｄ，すなわち前記ガイドプレート４の厚みよりわずかに厚くして，例えば３／１００ｍｍ程度厚くしてカムローラ５２，６２，７２上部にねじ結合されたホルダー５４，６４，７４が略８字の軌跡運動をする時，ガイドプレート４の上面と前記ホルダー５４，６４，７４の底面が摩擦されないようにする。
【００２６】
前記したような構造を有する方向舵５３，６３，７３を備えることによって，前記各キャリア５０，６０，７０は片側フィンガ３２の案内溝３２ａに乗せた状態でガイドプレート４の左側カムトラック５を沿って反時計方向に移動している途中でその方向舵５３，６３，７３の先端が２個のカムトラック５，６の交差点を連結する仮想の垂直線Ｈを通過する時，その方向舵５３，６３，７３の内側壁が左側カム１２の突起１２ａに追い出されて右側カムトラック６側に方向を転換して右側カムトラック６を沿って時計方向に移動することによって前記キャリア５０，６０，７０はカムトラック５，６を沿って‘８’字形態の軌道運動をするようになる。
【００２７】
前記キャリア５０，６０，７０の上端部に備わる各ホルダー５４，６４，７４の上端に陥没形成された付着面には前記髪の毛固定部材１００を容易に脱着可能に固定できるように磁石片５５，６５，７５が具備される。
【００２８】
望ましくは，前記のように磁石片を別途に各ホルダー５４，６４，７４の上面に取り付ける代わり各ホルダー５４，６４，７４全体を磁性体の材料で製作して用いる。
【００２９】
図８は，ここまで説明した本発明による髪の毛を編む装置の構成中ギアボックス３に組立てられる構成を分解して示した分解斜視図である。
【００３０】
一方，前記髪の毛固定部材１００は，図１（Ａ）及び図１（Ｂ）に図示されたように，スライドアンテナ式で引き出し可能に組立てられた相互直径が異なる複数本の，透明材質で製作されたチューブ１０１，１０２，１０３で構成され，本実施例では３個のチューブ１０１，１０２，１０３でなったことに対して説明するが編もうとする髪の毛の長さに対応してチューブの個数を増減させることができることは言うまでもない。
【００３１】
前記チューブｌ０ｌ，ｌ０２，１０３を透明材質で製作する理由は，編もうとする髪の毛の収容状態を目で容易に確認するためであり，十分に収容されない場合には髪の毛を編む時収容された髪の毛の前後が相互もつれるようになるのでこれを予め確認して防止しようとするためである。
【００３２】
相対的に直径がいちばん大きい下部チューブ１０１は直径が相対的に小さい中央チューブ１０２をスライド可能に上部から下部に挿入して受容して下端入口に，中心に所定直径の貫通ホール１０４ａを有する金属片１０４を密閉させて備える。
【００３３】
そして前記金属片１０４には前記貫通ホール１０４ａを取り囲む環段差１０４ｂを突出形成しているので，この突出環段差１０４ｂが前記キャリア５０，６０，７０のホルダー５４，６４，７４の陥没された付着面の底に備わった磁石片５５，６５，７５に挿入されて付着される。
【００３４】
上部チューブｌ０３は，硬性材質で製作される中央と下部のチューブ１０２，１０１とは別に，横力に柔軟に曲がることができるように軟性の合成樹脂材で作られる。これは頭部分に隣接して髪の毛が編まれる個所では，髪の毛束を引っ張る力により髪の毛束の間隔が相互狭まるためにこれによる横力を受容するためである。
【００３５】
そして，上部チューブ１０３は，中央チューブ１０２にスライド可能に挿入されて，その上端には多くのすじの髪の毛を１束で通過させて弾力的に支える弾性のキャップ１０６を備える。
【００３６】
そして前記キャップ１０６は，軟質のゴム材で作ることが望ましくて，図９に図示されたようにその上端に形成された弾性体のノズル１０６ａが編もうとする髪の毛数に対応するように多様な直径からなった多様な種類を備えて必要によって取り替え可能である。
【００３７】
また，上部チューブ１０３は，収容された髪の毛が編まれる時，一直線に引き伸ばした長さをより長く維持するために同一直径のチューブが連結環１０３ａにより連結されており，前記連結環１０３ａは編まれる髪の毛の長さによって選択的に用いて上部チューブ１０３を長く連結して使用でき，この時連結される上部チューブ１０３の下端は，軟質のゴム材ではない中央及び下部チューブ１０２，１０１のように硬いプラスチック材質で作られたものを用いる。
【００３８】
また，相互組立てられる２個のチューブ中内側チューブの外径と外側チューブの内径間の間隔Ｄは髪の毛一本のすじの太さより十分に大きくして髪の毛端がその透き間に挟まらないようにする。このために中央チューブ１０２と下部チューブ１０１の入口の直径がそのチューブの内径より所定間隔Ｄ１，Ｄ２小さく各チューブの上部入口には内側中心に突出した環段差を形成する。
【００３９】
そして，中央チューブｌ０２と下部チューブ１０１間の内外径間隔Ｄ２は十分に大きくして編まれる髪の毛束が，髪の毛が編まれるにより下部チューブ１０１内で渦輪状形態に少しずつ回転されることによりチューブ間のスライド間隙間に挟まることを防止することが望ましい。
【００４０】
前記中央チューブ１０２は，図１（Ｂ）で見るように上端入口は管の外径よりは多少大きくしたり，または中央チューブ１０２の長さを下部チューブ１０１の長さより長くすることにより，チューブを折り畳む時に中央チューブ１０２全体が前記下部チューブ１０１内にスライド挿入されることを防止する。上部チューブ１０３を連結する前記連結環１０３ａもチューブを折り畳む時にこのような機能をまた遂行する。
【００４１】
前述したような構造を有する髪の毛を編む補助装置としての髪の毛固定部材１００とは別途に，上部先端に備わったフック１１１で複数本の髪の毛を１束に整えて引っ掛けて取った状態で前記複数本のチューブ１０１，１０２，１０３を上部から下部に貫通して前記髪の毛１束を丸のまま前記複数本のチューブ１０１，１０２，１０３内部に引き込んだ図１０の針部材１１０が髪の毛を編むための補助装置の構成として含まれる。
【００４２】
図１０の針部材１１０は，その上部先端のフック１１１の下端を軸にして回転しながら前記フック１１１の掛かり輪が開放されている部分を閉じる回転ピン１１２を上部先端にまた備えている。また，下部終端には針部材１１０の長いさお１１３の直径よりはるかに大きい外径Ｄ３を有する取っ手部１１４が挿入されて接着されているが，この取っ手部１１４は髪の毛を編もうとする人が親指と人差し指を用いてより容易に針部材１１０を取るためのことであって，その外径Ｄ３は前記髪の毛補助部材１００の下部チューブ１０１の下端入口に挿入固定されている金属片１０４の中央貫通ホール１０４ａの直径より大きくして，前記チューブｌ０ｌ，ｌ０２，ｌ０３を通して針部材１１０を挿入する時に，前記針部材１１０が指から滑られて前記チューブ１０１，１０２，１０３内に完全に挿入されることを防止する。
【００４３】
前記したように構成された本発明による髪の毛を編む装置の実施例は次のように作動する。
【００４４】
図１（Ｂ）に図示されたように，髪の毛固定部材１００のチューブ１０１，１０２，１０３を折り畳んで入れた状態で，前記針部材１１０のフック１１１に設けられた回転ピン１１２をフック１１１の終端と離れるように開いてそらした状態で前記針部材１１０を，前記髪の毛固定部材１００の金属片１０４の貫通ホール１０４ａを通して下部チューブ１０１，中央チューブｌ０２，上部チューブ１０３とノズル１０６ａを順に貫通させて上部チューブ１０３の外側にフック１１１を突出させて，このフック１１１で編もうとする１束の髪の毛をかかるようにして取った状態で針部材１１０をノズル１０６ａを通して上部チューブｌ０３側に抜き出せば，前記ノズル１０６ａ入口で回転ピン１１２が自然に回転して前記フック１１１の輪終端を覆いかぶせながら髪の毛をつかんだフック１１１がノズル１０６ａを滑られて通過することによって，前記フック１１１に挟んでつかまれた髪の毛がチューブ１０１，１０２，１０３の内側に容易に引き込まれるようになって，髪の毛上端は上部チューブ１０３の上端に備わったキャップ１０６のノズル１０６ａの弾性力により挟んでつかまれて固定される。
【００４５】
この状態で中央チューブ１０２と下部チューブ１０１を上部チューブ１０３に対して図１（Ａ）のように引き出してチューブ全体長さを伸ばせば長い髪の毛が上端でキャップ１０６に挟んでつかまれた状態でチューブ中に収容される。
【００４６】
このような過程を繰り返して各々髪の毛を挟んでつかんだ３個の髪の毛固定部材１００を駆動部２００のホルダー５４，６４，７４に接触させればホルダー５４，６４，７４の磁石５５，６５，７５に下部チューブｌ０ｌの金属片ｌ０４が付着されて髪の毛固定部材１００がホルダー５４，６４，７４に結合される。
【００４７】
３個の固定部材ｌ００がすべて駆動部２００の交差回転運動により８字の軌道運動をすることにより髪の毛を３束を持って組んで編むようになるが，以下では固定部材１００を移送させる３個のキャリア５０，６０，７０が同時に同一の軌道運動をするので以下ではその中１個のキャリアの軌道運動に対して説明する。
【００４８】
ハウジング２に備わったスイッチｌｂをつけてモータ１に電気的エネルギーを供給することによって回転駆動させるようになれば，このモータ１の軸に設けられた駆動ギア７が回転して１対の被動ギア３１，４１を相互反対方向に（例えば図５の左側被動ギア３１は反時計方向に回転して，これに噛み合った右側被動ギア４１は時計方向に）回転する。
【００４９】
前記左側被動ギア３１が反時計方向に回転することによってその上に付着されたフィンガ３２も一緒に反時計方向に回転しながらその案内溝３２ａにキャリア５０，６０，または７０のカムローラ５２，６２，または７２を挿入したまま反時計方向に回転させる。この時カムローラ５２，６２，または７２の上部に位置した方向舵５３，６３，または７３はその外側面が左側カムトラック５の外側壁と接触した状態で左側カムトラック５を沿って反時計方向に軌道運動をして，またその上側に位置したホルダー５４，６４，７４及びホルダー５４，６４，７４に固定された髪の毛固定部材１００も一緒に同一の方向に軌道運動をするようになる。
【００５０】
そのような途中前記方向舵５３，６３，または７３の先端が左側カムトラック５と右側カムトラックと相互交差する仮想の垂直線Ｈを通過する時，図４で見るようにその方向舵５３，６３，または７３は内側面が左側カム１２の突起１２ａの圧力角２３０によって進行経路が追い出されて右側カムトラック６の上部側に進めるようになって，これと同時にその方向舵５３，６３，または７３の下端に結合されたカムローラ５２，６２，または７２は時計方向に回転している右側カムトラック６のフィンガ３２，４２の案内溝４２ａに乗せて時計方向に移動するようになる。
【００５１】
前記方向舵５３，６３，または７３の後端部と前記突起１２ａの傾斜によりキャリア５０，６０，または７０が右側対角線に方向を取って進めるようになって，進行中に運動交差区間に位置して前記方向舵５３，６３または７３の前端と後端がすべて他の環形カムトラック５，６に掛かっているようになる時点には，前記貫通ホール５３ａ，６３ａまたは７３ａは既に交差中心を過ぎて他側カムトラック６に位置するようになるので，この貫通ホール５３ａ，６３ａまたは７３ａに連結されたキャリア軸５１，６１または７１は既に他のフィンガ４２上の案内溝４２ａの回転運動経路上に十分に位置するようになるので，先端が右側カムトラック６内に進入した方向舵５３，６３，または７３はその右側カムトラック６を沿って時計方向に軌道運動をするようになることによって，案内溝４２ａに乗せたキャリア５０，６０または７０は対角線直進運動でカムトラックを変えて滑らかに円運動に転換するようになって８字運動の交差点で機械的な無理なしに通過するようになる
【００５２】
一方，前記右側カムトラック６を沿って時計方向に移動する方向舵５３，６３，または７３も前記仮想の垂直線Ｈを通過する時にはこの方向舵５３，６３，または７３が内側面が右側カム２２の突起２２ａに追い出されて左側カムトラック５内に進入するようになって，この時前記方向舵５３，６３，または７３の下の方に結合されたカムローラ５２，６２，または７２が反時計方向に回転している左側フィンガ３２の案内溝３２ａに乗せて左側カムトラック５を沿って反時計方向に移動する。
【００５３】
【発明の効果】
前述したようなキャリア５０，６０，７０の交差回転運動を通してキャリア５０，６０，７０上部に固定された各髪の毛固定部材１００が８字軌跡運動をするようになって，したがってその上部の各ノズル１０６ａに挟まれた髪の毛束は，交差運動の中心で見る時，相互順次的に組まれるようになる。したがって各固定部材１００内の髪の毛束は３束が組まれながらその長さが縮まるようになり，長さが縮まることによって各固定部材ｌ００内の髪の毛が各ノズル１０６ａの弾性力によるつかむ力にうち勝って少しずつ引き出されながら続けて組まれるようになって，各固定部材１００内の８字運動により髪の毛束がすべて引き出されるようになれば自然に３束が組まれて編まれたヘアスタイルを得ることができるようになる。
【図面の簡単な説明】
【図１】
本発明による髪の毛を編む補正装置である髪の毛固定部材のチューブが展開された状態とスライド折り畳まれた状態の結合断面図である。
【図２】
本発明による髪の毛を編む装置の長手方向一部断面図である。
【図３】
本発明による髪の毛を編む装置をギアボックス底面まで透視して図示した平面図である。
【図４】
図２の装置の上側構成の一部を取り除いた平面図である。
【図５】
図２の装置の回転力伝達に関与する被動ギアとフィンガの配置構造を抽出して図示した平面図である。
【図６】
図２の装置のキャリアを構造と設置状態を，分離して側面図示した一部断面の側断面図である。
【図７】
図６のキャリアに結合される方向舵の平面と側面を図示した説明図である。
【図８】
本発明による髪の毛を編む装置の部分分解斜視図である。
【図９】
上端チューブに挿入されて結合されるキャップの側断面図である。
【図１０】
髪の毛を引っ掛けて取るために用いられる針部材の側面図である。
【図１】
2004511261.tif 000003
【図２】
2004511261.tif 000004
【図３】
2004511261.tif 000005
【図４】
2004511261.tif 000006
【図５】
2004511261.tif 000007
【図６】
2004511261.tif 000008
【図７】
2004511261.tif 000009
【図８】
2004511261.tif 000010
【図９】
2004511261.tif 000011
【図１０】
2004511261.tif 000012
【国際公開パンフレット】
2004511261.tif 000013
2004511261.tif 000014
2004511261.tif 000015
2004511261.tif 000016
2004511261.tif 000017
2004511261.tif 000018
2004511261.tif 000019
2004511261.tif 000020
2004511261.tif 000021
2004511261.tif 000022
2004511261.tif 000023
2004511261.tif 000024
2004511261.tif 000025
2004511261.tif 000026
2004511261.tif 000027
2004511261.tif 000028
2004511261.tif 000029
2004511261.tif 000030
2004511261.tif 000031
2004511261.tif 000032
2004511261.tif 000033
2004511261.tif 000034
2004511261.tif 000035
2004511261.tif 000036
2004511261.tif 000037
2004511261.tif 000038
【国際調査報告】
2004511261.tif 000039